(57)【特許請求の範囲】
【請求項１】
商品の商品コードを読み取る読取制御部と、
計量器が計量した前記商品の重量を読み込む重量読込部と、
前記読取制御部が読み取った前記商品コードと、当該商品コードの商品の数量と、を含む仮登録情報を符号化して、情報コードを生成する情報コード生成部と、
前記情報コード生成部が生成した前記情報コードと、前記商品の総数と、前記重量読込部が読み込んだ前記商品の総重量と、商品の追加を抑制する旨のメッセージとをプリンタにより印字出力させる出力制御部と、
を備える商品販売システム。
【請求項２】
商品の商品コードを読み取る読取制御部と、
計量器が計量した前記商品の重量を読み込む重量読込部と、
前記読取制御部が読み取った前記商品コードと、当該商品コードの商品の数量と、を含む仮登録情報を符号化して、情報コードを生成する情報コード生成部と、
前記情報コード生成部が生成した前記情報コードと、前記商品の総数と、前記重量読込部が読み込んだ前記商品の総重量と、商品の追加を抑制する旨のメッセージとをプリンタにより印字出力させる出力制御部と、
を備える商品情報処理装置。
【請求項３】
商品情報処理装置を制御するコンピュータを、
商品の商品コードを読み取る読取制御部と、
計量器が計量した前記商品の重量を読み込む重量読込部と、
前記読取制御部が読み取った前記商品コードと、当該商品コードの商品の数量と、を含む仮登録情報を符号化して、情報コードを生成する情報コード生成部と、
前記情報コード生成部が生成した前記情報コードと、前記商品の総数と、前記重量読込部が読み込んだ前記商品の総重量と、商品の追加を抑制する旨のメッセージとをプリンタにより印字出力させる出力制御部と、
として機能させるためのプログラム。
【発明の詳細な説明】
【技術分野】
【０００１】
本発明の実施形態は、商品販売システム、商品情報処理装置およびプログラムに関する。
【背景技術】
【０００２】
従来、ＰＯＳ端末とは別の装置で購入予定の商品が仮登録（カウント）され、その仮登録内容に対応した仮登録情報の情報コードが２次元コードとして紙片に印字され、ＰＯＳ端末でその情報コードが読み取られて決済等の処理が行われるシステムが知られている。当該システムでは、客は、仮登録後、決済を行うため、購入予定商品とともに紙片をＰＯＳ端末に持って行く。
【発明の概要】
【発明が解決しようとする課題】
【０００３】
この種のシステムでは、仮登録後に購入予定商品として新たな商品（未登録商品）が追加されるのを抑制することが望ましい。
【課題を解決するための手段】
【０００４】
実施形態にかかる商品販売システムは、商品の商品コードを読み取る読取制御部と、計量器が計量した前記商品の重量を読み込む重量読込部と、前記読取制御部が読み取った前記商品コードと、当該商品コードの商品の数量と、を含む仮登録情報を符号化して、情報コードを生成する情報コード生成部と、前記情報コード生成部が生成した前記情報コードと、前記商品の総数と、前記重量読込部が読み込んだ前記商品の総重量と、商品の追加を抑制する旨のメッセージとをプリンタにより印字出力させる出力制御部と、を備える。
【図面の簡単な説明】
【０００５】
【図１】図１は、本発明の一実施形態にかかる商品情報処理装置を含む商品販売情報処理システムの概略構成の一例を示す図である。
【図２】図２は、本発明の一実施形態にかかる商品情報処理装置としての携帯端末の一構成例を示す斜視図である。
【図３】図３は、図２の携帯端末を別の角度から見た斜視図である。
【図４】図４は、図２の携帯端末のキー部の概略構成を示す平面図である。
【図５】図５は、本発明の一実施形態にかかる商品情報処理装置としての携帯端末の一例を示すブロック図である。
【図６】図６は、本発明の一実施形態にかかる商品情報処理装置としての携帯端末のＣＰＵの一例を示すブロック図である。
【図７】図７は、本発明の一実施形態にかかる商品販売情報処理システムに含まれる決済装置の一例を示すブロック図である。
【図８】図８は、本発明の一実施形態にかかる商品情報処理装置で印字される紙片の一例を示す図である。
【図９】図９は、本発明の一実施形態にかかる商品情報処理装置で印字される紙片の別の一例を示す図である。
【発明を実施するための形態】
【０００６】
以下、本発明の実施形態について図面を参照しながら詳細に説明する。なお、以下の複数の実施形態には、同様の構成要素が含まれている。よって、以下では、それら同様の構成要素には共通の符号が付与され、重複する説明が省略される。
【０００７】
＜第１実施形態＞
図１に示すように、本実施形態では、商品販売情報処理システム１は、店舗システムとして構成され、ストアサーバ２とＰＯＳ（Point  Of  Sales）端末３とを含んでいる。ストアサーバ２とＰＯＳ端末３とは、ＬＡＮ（Local  Area  Network）等の電気通信回線４を介して電気的に接続されている。
【０００８】
また、本実施形態の商品販売情報処理システム１には、事前処理システム５が含まれている。事前処理システム５は、比較的容易に使用場所を変更できる可搬型の装置を含んで構成され、商品情報処理装置としての携帯端末６、携帯プリンタ７、および計量器８を有している。通信装置９と携帯端末６の間、携帯端末６と携帯プリンタ７との間、ならびに携帯端末６と計量器８との間では、無線（例えば、無線ＬＡＮや赤外線通信等）によって通信が行われる。なお、携帯端末６は、プリンタを一体に含む端末として構成することもできる。また、事前処理システム５の各構成要素間を、有線接続することもできる。
【０００９】
事前処理システム５は、客が購入しようとする商品（購入予定商品）を仮登録（カウント）することができる。したがって、例えば、夕方の混雑時など、ＰＯＳ端末３の前で多数の客が待機しているような状況では、オペレータが、事前処理システム５を用いて購入予定商品の仮登録作業を予め済ませておくことで、ＰＯＳ端末３では、仮登録の内容を示す仮登録情報（購入予定商品情報）を利用し、オペレータによる購入予定商品の登録作業を省略できる。よって、ＰＯＳ端末３での処理時間を短縮して、客の待ち時間を減らすことができる。ＰＯＳ端末３は、決済装置に相当する。また、本実施形態では、事前処理システム５は、可搬型の装置によって構成されているため、オペレータは、一時的な事前処理システム５の準備や撤収を比較的簡単に行うことができる。なお、ＰＯＳ端末３は、購入予定商品の登録機能も有しているため、事前処理システム５で仮登録されていない購入予定商品の登録も行うことができるし、事前処理システム５で仮登録できなかった商品の登録を行ったり、事前処理システム５で仮登録済みであるものの何らかの不都合が生じた場合に、購入予定商品の登録をやり直したりすることもできる。
【００１０】
本実施形態では、事前処理システム５で仮登録した購入予定商品の内容は、媒体（例えば紙片１０，１０Ａ等、図８，９参照）に記録された情報コード（例えば、１次元コード、２次元コード等）を介して、ＰＯＳ端末３に伝達される。すなわち、事前処理システム５は、購入予定商品を仮登録する機能と、その内容を示す情報コードを媒体に出力する機能とを、有する。紙片を媒体とする場合、購入予定商品を仮登録する機能は携帯端末６が担い、情報コードを紙片に印字出力する機能は携帯プリンタ７が担う。例えば、客は、事前処理システム５で仮登録済みの購入予定商品とともに紙片（レシート）１０，１０Ａを持ってＰＯＳ端末３へ行き、紙片１０，１０ＡをＰＯＳ端末３のオペレータへ渡す。ＰＯＳ端末３は、オペレータの操作にしたがって、紙片１０，１０Ａに印字された情報コードを読み取って、購入予定商品の内容を読み込み、当該購入予定商品の販売登録処理や決済処理等を行う。
【００１１】
上述したように、本実施形態では、携帯端末６は、オペレータ（店員等）に操作される携帯型の情報処理端末として構成されている。携帯端末６は、図２，３に示すように、略直方体の外観を呈しており、オペレータが片手で操作できるように構成されている。
【００１２】
携帯端末６は、外郭をなす筐体６ａを有している。図２に示すように、筐体６ａの正面側には、液晶ディスプレイ等のディスプレイ６ｂや、キー部６ｃ等が設けられている。一方、図３に示すように、筐体６ａの裏面側には、スキャナ６ｄや、バッテリ６ｅ等が設けられている。なお、スキャナ６ｄは、凹部６ｆの奥側に配置されている。また、図２，３に示すように、筐体６ａの左右両側面の中央部には、トリガスイッチ６ｇ，６ｈが設けられている。オペレータは、これらトリガスイッチ６ｇ，６ｈを操作することで、スキャナ６ｄによる商品コード（商品に付与された情報コード）の読み取りの開始あるいは停止を指示することができる。また、筐体６ａの左側面の下部には、第一の無線通信インタフェース（Ｉ／Ｆ）６２ｅ（図５参照）の投受光窓６ｉが設けられている。
【００１３】
バッテリ６ｅは、筐体６ａの裏面の下部に着脱自在に装着されている。オペレータは、筐体６ａの右側面の下部に設けられたリリーススイッチ６ｊを操作することで、バッテリ６ｅを筐体６ａから取り外すことができる。携帯端末６は、このバッテリ６ｅの電力によって動作する。
【００１４】
キー部６ｃは、図４に示すように、「０」〜「９」の値数キーや小数点キーを含むテンキー６ｃ１や、エンターキー６ｃ２、バックスペースキー６ｃ３、クリアキー６ｃ４、シフトキー６ｃ５、電源キー６ｃ６、第一のマジックキー６ｃ７、第二のマジックキー６ｃ８等を有している。
【００１５】
スキャナ６ｄは、商品コード（例えば、バーコード等の一次元コードや二次元コード等）を光学的に読み取る。各商品には、例えば、商品識別情報としての商品コードが、バーコードの形態で付与されている。
【００１６】
また、携帯端末６は、図５に示すように、ＣＰＵ（Central  Processing  Unit）６１や、ＲＯＭ（Read  Only  Memory）６２ａ、ＲＡＭ（Random  Access  Memory）６２ｂ、ＮＶＲＡＭ（Non  Volatile  Ram）６２ｃ、時計部６２ｄ、第一の無線通信インタフェース（Ｉ／Ｆ）６２ｅ、第二の無線通信インタフェース（Ｉ／Ｆ）６２ｆ、スキャナコントローラ６２ｇ、ディスプレイコントローラ６２ｈ、キーコントローラ６２ｉ等を備えている。これら各構成要素は、アドレスバス、データバス等のバスライン６２ｊを介して相互に電気的に接続されている。
【００１７】
ＣＰＵ６１は、ＲＯＭ６２ａ等に記憶されたコンピュータ読み取り可能な各種プログラムを実行することにより、携帯端末６を制御する。ＲＯＭ６２ａは、ＣＰＵ６１が実行する各種データや、各種プログラム（ＢＩＯＳ（Basic  Input  Output  System）プログラム、アプリケーションプログラム、デバイスドライバプログラム等）等を記憶する。ＲＡＭ６２ｂは、ＣＰＵ６１が各種プログラムを実行する際に一時的にデータやプログラムを記憶する。ＮＶＲＡＭ６２ｃは、電源がオフされた状態でも、後述する鍵（データ）等の各種データを記憶することができる。
【００１８】
本実施形態では、携帯端末６用のプログラムに、スキャナコントローラ６２ｇおよびスキャナ６ｄを制御して商品コードを読み取るモジュールや、仮登録情報としての購入予定商品情報を生成するモジュール、購入予定商品情報等を符号化して情報コードを生成するモジュール、計量器８を制御して購入予定商品の計量値を読み込むモジュール、情報コードや、計量値、その他の情報等を印字出力するモジュール等が含まれる。よって、携帯端末６のＣＰＵ６１は、プログラムにしたがって、図６に示すように、読取制御部６１ａや、計量器制御部６１ｂ、情報生成部６１ｃ、情報コード生成部（符号化部）６１ｄ、出力制御部６１ｅ等として動作する。情報生成部６１ｃは、仮登録情報生成部に相当する。また、計量器制御部６１ｂは、計量値読込部に相当する。
【００１９】
また、図５に示す時計部６２ｄは、現在の日時を計時する。第一の無線通信インタフェース６２ｅは、携帯プリンタ７とのデータ通信を制御する。第二の無線通信インタフェース６２ｆは、通信装置９とのデータ通信を制御する。これらの通信方式としては、種々の方式を採用することができる。
【００２０】
スキャナコントローラ６２ｇは、スキャナ６ｄで読み取られたデータの信号を受け取ってＣＰＵ６１に送る。ディスプレイコントローラ６２ｈは、ディスプレイ６ｂを制御して、ＣＰＵ６１から受け取ったデータに対応した画像（文字、数字等も含む）を表示させる。キーコントローラ６２ｉは、キー部６ｃやトリガスイッチ６ｇ，６ｈから出力される信号を受け取ってＣＰＵ６１へ送る。
【００２１】
携帯プリンタ７は、携帯端末６から受け取ったデータを用紙に印字する。携帯プリンタ７は、例えば、用紙ロールから引き出された帯状用紙に印字するサーマルプリンタとして構成することができる。携帯プリンタ７には、カッタ（図示せず）が設けられており、オペレータは、データが印字された帯状用紙をカッタで切ることで、画像がプリントされた紙片を得ることができる。また、携帯プリンタ７が、帯状用紙を切断する機能を備えることもできる。本実施形態では、この携帯プリンタ７で、上述したように携帯端末６で仮登録された購入予定商品を示すデータが符号化された情報コード（例えば二次元コード）が印字された紙片１０（図８等参照）が作成される。
【００２２】
また、図７に示すように、ＰＯＳ端末３は、ＣＰＵ（Central  Processing  Unit）３１や、ＲＯＭ（Read  Only  Memory）３２ａ、ＲＡＭ（Random  Access  Memory）３２ｂ、時計部３２ｃ、Ｉ／Ｏ（Input/Output）ポート３２ｄ、ネットワークインタフェース３２ｇ、キーボードコントローラ３２ｈ、タッチパネルコントローラ３２ｉ、ディスプレイコントローラ３２ｊ、プリンタコントローラ３２ｋ、スキャナコントローラ３２ｍ，３２ｎ、記憶装置コントローラ３２ｐ、計量器コントローラ３２ｑ等を備えている。そして、図７に示すように、これら各構成要素は、アドレスバス、データバス等のバスライン３２ｒを介して相互に接続されている。
【００２３】
ＣＰＵ３１は、ＲＯＭ３２ａ等に記憶されたコンピュータ読み取り可能な各種プログラムを実行することにより、ＰＯＳ端末３を制御する。ＲＯＭ３２ａは、ＣＰＵ３１が実行する各種データや、各種プログラム（ＢＩＯＳプログラム、アプリケーションプログラム、デバイスドライバプログラム等）等を記憶する。ＲＡＭ３２ｂは、ＣＰＵ３１が各種プログラムを実行する際に一時的にデータやプログラムを記憶する。
【００２４】
本実施形態では、ＰＯＳ端末３用のプログラムに、情報コード１０ａを読み取るモジュールや、情報コード１０ａを所定の符号化形式で復号（デコード）するモジュール、計量器３３ｉを制御して購入予定商品の計量値を読み込むモジュール、計量値の現在の実測値（ＰＯＳ端末３での計量値）と事前の計測値（事前処理システム５での計量値）とを比較して決済可能な状態にあるか否かを判定するモジュール、販売登録処理を行うモジュール、決済処理を行うモジュール等が含まれる。よって、ＰＯＳ端末３のＣＰＵ３１は、プログラムにしたがって、情報コード読取部や、符号化部、計量器制御部（計量値読込部）３１ａ、判定部３１ｂ、販売登録部、決済部等として動作する（計量器制御部３１ａおよび判定部３１ｂ以外は図示せず）。
【００２５】
また、時計部３２ｃは、現在の日時を計時する。Ｉ／Ｏポート３２ｄは、モードスイッチ３２ｅからのモード選択信号を入力するとともにドロワ（図示せず）の引出しを自動開放させるドロワ開放装置３２ｆに信号を出力する。ネットワークインタフェース（Ｉ／Ｆ）３２ｇは、電気通信回線４等を通じて接続される他の装置とのデータ通信を制御する。キーボードコントローラ３２ｈは、キーボード３３ａから操作キーに対応したキー信号を受け取ってＣＰＵ３１に送る。タッチパネルコントローラ３２ｉは、客用のディスプレイ３３ｃを制御して、ＣＰＵ３１から受け取ったデータに対応した画像等を表示させるとともに、ディスプレイ３３ｃに設けられたタッチパネルセンサ３３ｂからの信号を受け取ってＣＰＵ３１に送る。ディスプレイコントローラ３２ｊは、オペレータ用のディスプレイ３３ｄを制御して、ＣＰＵ３１から受け取ったデータに対応した画像等を表示させる。プリンタコントローラ３２ｋは、レシート／ジャーナル（Ｒ／Ｊ）プリンタ３３ｅを制御してＣＰＵ３１から供給されるデータをもとにレシート印字及びジャーナル印字を行わせる。スキャナコントローラ３２ｍ，３２ｎは、バーコードスキャナ３３ｆあるいはＣＣＤスキャナ３３ｇが読み取ったデータの信号を受け取ってＣＰＵ３１へ送る。
【００２６】
記憶装置コントローラ３２ｐは、ＣＰＵ３１からの指示信号に基づいて不揮発性の記憶部としての記憶装置３３ｈに対するデータの書き込みおよび読み出しを制御する。記憶装置３３ｈは、ＯＳ（Operating  System）プログラムや、アプリケーションプログラム、デバイスドライバプログラム等の他、各種のデータを記憶する。
【００２７】
また、計量器コントローラ３２ｑは、ＣＰＵ３１からの指示信号に基づいて計量器３３ｉを制御するとともに、計量器３３ｉから計量値を受け取ってＣＰＵ３１へ送る。
【００２８】
上述したように、本実施形態にかかる商品販売情報処理システム１では、図８，９に示すように、事前処理システム５（携帯プリンタ７）で、仮登録された購入予定商品を示す購入予定商品情報が符号化された情報コード（例えば二次元コード）１０ａが印字された紙片１０，１０Ａが作成される。
【００２９】
すなわち、購入予定商品の仮登録に際し、事前処理システム５では、まず、携帯端末６のＣＰＵ６１が、読取制御部６１ａとして動作してスキャナ６ｄを制御し、購入予定商品の商品コードを読み取る。次に、ＣＰＵ６１は、情報生成部６１ｃとして動作し、通し番号（Ｎｏ．）や、読み取られた商品コード、数量、付加情報等を含む購入予定商品情報を生成する。購入予定商品情報は、例えば、複数の商品のそれぞれについての通し番号や、商品コード、数量、付加情報等が、所定の順序（例えば、読み取られた順序）に羅列されたデータであることができる。また、付加情報は、例えば、割引情報や、ポイント情報等である。また、付加情報や数値は、キー部６ｃの操作によっても、入力することができる。また、購入予定商品情報は、商品の数や、購入予定商品情報のデータサイズ、購入予定商品情報の作成時刻、購入予定商品情報の有効期限等を含むヘッダ情報を有することができる。購入予定商品情報の有効期限（例えば２０分）が設定された場合、ＰＯＳ端末３は、有効期限を過ぎた購入予定商品情報を無効として、取り扱わない。次に、携帯端末６のＣＰＵ６１は、情報コード生成部６１ｄとして動作し、購入予定商品情報を、所定の符号化形式で符号化して、情報コード１０ａを生成する。
【００３０】
また、事前処理システム５では、携帯端末６のＣＰＵ６１が、計量器制御部６１ｂとして動作して計量器８を制御し、購入予定商品の計量値を読み込む。この際、計量器制御部６１ｂは、購入予定商品を入れたかご等の入れ物も含む計量値を読み込んでも良いし、計量した入れ物の重量を減算した購入予定商品の中身の計量値を読み込んでもよい。ただし、入れ物の重量が含まれているか含まれていないかは、予め設定されたり、情報コード１０ａに符号化される購入予定商品情報に含まれたりするなどして、ＰＯＳ端末３が認識できるようになっている。
【００３１】
次に、ＣＰＵ６１は、出力制御部６１ｅとして動作し、図８に示すように、携帯プリンタ７に、情報コード１０ａや購入予定商品の計量値（を示す文字、記号、数値などの画像）１０ｂ等を含む画像を印字させる。なお、この際、携帯端末６がストアサーバ２等と通信することにより、ＣＰＵ６１が、購入予定商品の合計金額を算出し、携帯プリンタ７を制御して、合計金額を紙片１０に印字させることができる。客は、このようして作成された紙片１０を、入れ物に入れられた購入予定商品（実物）とともに、ＰＯＳ端末３へ持って行く。
【００３２】
上述したように、携帯プリンタ７から出力された紙片１０には、図８に示すように、購入予定商品の計量値１０ｂが印字されている。このように計量値１０ｂが印字されることによって、客は、購入予定商品がその重量（計量値）によって管理されていることを認識することができる。
【００３３】
ＰＯＳ端末３では、ＣＰＵ３１が、ＣＣＤスキャナ３３ｇを制御して紙片１０に印字された情報コード１０ａを読み取る。そして、ＣＰＵ３１は、読み取った情報コード１０ａを復号（デコード）して、購入予定商品情報を得る。
【００３４】
また、ＰＯＳ端末３では、オペレータが、紙片１０に印字された計量値１０ｂを視認して、キーボード３３ａ等を使用して計量値１０ｂの値を入力する。これにより、ＣＰＵ３１は、客が持ってきた購入予定商品の事前処理システム５での計量値を得る。
【００３５】
また、ＰＯＳ端末３のＣＰＵ３１は、計量器制御部３１ａとして動作し、計量器３３ｉを制御して、客が持ってきた購入予定商品の計量値（ＰＯＳ端末３での計量値）を読み込む。
【００３６】
そして、ＰＯＳ端末３のＣＰＵ３１は、判定部３１ｂとして動作し、計量器制御部３１ａから受け取った計量値（ＰＯＳ端末３での計量値）と、キーボード３３ａで入力された計量値（事前処理システム５での計量値）とを比較して、それらの差分が所定の範囲内であった場合に、購入予定商品に商品の追加がなく、有効（決済可能）であると判定する。
【００３７】
判定部３１ｂが有効（決済可能）であると判定した場合、ＣＰＵ３１は、販売登録部および決済部として動作し、情報コード１０ａの復号によって得られた購入予定商品情報に基づいて販売登録（本登録）や決済等を実行する。一方、判定部３１ｂが無効（決済不可能）であると判定した場合、ＣＰＵ３１は、ディスプレイ３３ｃ，３３ｄや、スピーカ、ブザー等（図示せず）を制御して、無効であった旨、および購入予定商品の登録処理を改めて実行する旨（ＰＯＳ端末３でやり直す旨）を、表示あるいは音声として出力する。この販売登録のやり直しの後、ＰＯＳ端末３では、決済等が実行される。なお、無効（決済不可能）であると判定された場合、ＰＯＳ端末３での処理を中止し、事前処理システム５で改めて仮登録処理を実行することも可能である。
【００３８】
上述したように、本実施形態では、紙片１０に計量値１０ｂが印字されることによって、客は、購入予定商品がその重量（計量値）によって管理されていることを認識することができる。したがって、本実施形態によれば、客が事前処理システム５で仮登録処理を受けてからＰＯＳ端末３で決済処理を受けるまでの間、すなわち客が事前処理システム５の位置からＰＯＳ端末３の位置へ移動するまでの間に、客が購入予定商品（を入れた入れ物）に未登録の商品を追加するのを、抑制することができる。仮に、ＰＯＳ端末３で仮登録後に商品が追加されたことが判明した場合、ＰＯＳ端末３では、購入予定商品の登録（カウント）が改めて実行されることになるため、事前処理システム５による利点が損なわれてしまう。この点、本実施形態によれば、事前処理システム５の利点が損なわれるのを抑制することができる。また、本実施形態によれば、商品の不正な持ち出しを抑制することができるという利点もある。
【００３９】
また、図９の紙片１０Ａには、客による商品の追加を抑制する旨の表示情報１０ｃが印字されている。この表示情報１０ｃは、携帯端末６のＣＰＵ６１が、出力制御部６１ｅとして動作し、紙片１０Ａに、情報コード１０ａや計量値１０ｂとともに、印字することができる。表示情報１０ｃのデータは、ＲＯＭ６２ａやＮＶＲＡＭ６２ｃ等の記憶部に記憶されている。この例によれば、表示情報１０ｃによって、客に、商品の追加を行わないよう、直接的に示すことができるので、事前処理システム５の利点が損なわれるのをより一層抑制することができる。
【００４０】
また、携帯端末６のＣＰＵ６１は、情報コード生成部６１ｄとして動作する際、購入予定商品情報とともに計量値を符号化して、情報コード１０ａを生成することができる。この場合、ＰＯＳ端末３のＣＰＵ３１は、情報コード１０ａを復号することによって、購入予定商品情報とともに計量値を得ることができるので、オペレータによる事前処理システム５での計量値の入力が不要となる。さらに、その場合、紙片１０，１０Ａへの計量値１０ｂの印字を省略することができる。計量値１０ｂが印字されていなくても、ＰＯＳ端末３で購入予定商品の重量（計量値）の比較によって、有効か無効かの判定を行うことができ、商品の不正な持ち出し等は抑制することができる。ただし、その場合、計量値１０ｂの印字によって客に対して商品の追加を抑制する効果は得られなくなるため、紙片１０，１０Ａには、客による商品の追加を抑制する旨の表示情報１０ｃを印字しておくのが好適である。なお、携帯端末６のＣＰＵ６１は、計量値の情報コード（図示せず）を、購入予定商品情報の情報コード１０ａとは別に生成して、紙片に印字してもよい。
【００４１】
以上、本発明の好適な実施形態について説明したが、本発明は上記実施形態には限定されず、種々の変形が可能である。例えば、商品販売情報処理システムは、上記実施形態の事前処理システムに替えて、プリンタを含む商品情報処理装置としての事前処理装置を含む構成とすることができる。また、各構成要素（商品販売処理システム、事前処理システム、商品情報処理装置、携帯端末、スキャナ、計量器、プリンタ、紙片、決済装置、ＰＯＳ端末等）のスペック（方式や、構造、形状、大きさ、配置、位置、個数等）は、適宜に変更して実施することができる。
【００４２】
上記実施形態によれば、仮登録後に購入予定商品として新たな商品（未登録商品）が追加されるのを抑制することができる。
【符号の説明】
【００４３】
３…ＰＯＳ端末（決済装置）
６…携帯端末（商品情報処理装置）
７…携帯プリンタ（プリンタ）
１０，１０Ａ…紙片
１０ａ…情報コード
１０ｂ…計量値
１０ｃ…表示情報
６１ａ…読取制御部
６１ｂ…計量器制御部（計量値読込部）
６１ｃ…情報生成部（仮登録情報生成部）
６１ｄ…情報コード生成部
６１ｅ…出力制御部
【先行技術文献】
【特許文献】
【００４４】
【特許文献１】特開２００４−１０２４２３号公報
【図１】
0006022004.tif 000002
【図２】
0006022004.tif 000003
【図３】
0006022004.tif 000004
【図４】
0006022004.tif 000005
【図５】
0006022004.tif 000006
【図６】
0006022004.tif 000007
【図７】
0006022004.tif 000008
【図８】
0006022004.tif 000009
【図９】
0006022004.tif 000010